(57)【要約】      （修正有）【課題】個々の車には何らの設備及び作業を施すことなく、飲酒運転を抑止できるようにする。【解決手段】酒類を提供する飲食店のトイレ入口ドア内側の上方に、下方に向けて赤外線式の人検知器１を設置し、人検知器の検知信号に基づいて、警告装置本体３から、飲酒運転をいましめるような音声メッセージを流す。また、人検知器１の代わりにドアスイッチ２を用いても良い。さらに、人検知器１とドアスイッチ２の両方を用いて、ドアスイッチ２が動作した直後に、人検知器１が人を検知したときのみ警告装置本体３を動作させれば、人がトイレに入って来たときだけ音声メッセージを流すことができる。また、ドアスイッチ２が動作する前に人検知器１が人を検知したとき警告装置本体３を動作させれば、人がトイレから出て行くときだけ音声メッセージを流すことができる。【選択図】図１
0003131821.tif 000002
【実用新案登録請求の範囲】
【請求項１】
酒類を提供する飲食店のトイレ内に設置した人検知器と、該人検知器の検知信号に基づいて、検知された人に対して飲酒運転をいましめる音声メッセージを流す音声出力装置とを備えたことを特徴とする飲酒運転警告装置。
【請求項２】
前記人検知器をトイレ入口ドアの内側に設置したことを特徴とする請求項１に記載の飲酒運転警告装置。
【請求項３】
酒類を提供する飲食店のトイレ入口ドアに設置したドアスイッチと、該ドアスイッチのドア開検知に基づいて、飲酒運転をいましめる音声メッセージを流す音声出力装置とを備えたことを特徴とする飲酒運転警告装置。
【請求項４】
酒類を提供する飲食店のトイレ入口ドアの内側に設置した人検知器と、該トイレ入口ドアに設置したドアスイッチと、前記ドアスイッチが動作した直後に、前記人検知器が人を検知したとき、検知された人に対して飲酒運転をいましめる音声メッセージを流す音声出力装置とを備えたことを特徴とする飲酒運転警告装置。
【請求項５】
酒類を提供する飲食店のトイレ入口ドアの内側に設置した人検知器と、該トイレ入口ドアに設置したドアスイッチと、前記ドアスイッチが動作する前に、前記人検知器が人を検知したとき、検知された人に対して飲酒運転をいましめる音声メッセージを流す音声出力装置とを備えたことを特徴とする飲酒運転警告装置。
【請求項６】
前記音声出力装置は、検知された人に対して飲酒運転をいましめる音声メッセージとともに運転代行サービス業者の宣伝メッセージを流すことを特徴とする請求項１〜５のいずれかに記載の飲酒運転警告装置。
【考案の詳細な説明】
【技術分野】
【０００１】
本考案は、飲食店で酒類を飲んでいる客に対して、飲酒運転をしないように注意を呼びかける飲酒運転警告装置に関するものである。
【背景技術】
【０００２】
昨今、飲酒運転による事故が多発しており、数多くの犠牲者が出ている。そのため、飲酒運転を減らすべく、飲酒運転に対する罰則が強化され、また、飲酒運転をした人に酒類を提供した業者に対しても重い刑罰が科せられるようになっている。そのような状況下、飲酒運転防止装置もいくつか提案されている。例えば、特許文献１，２に示されるものでは、車の運転席に呼気アルコールセンサを設置し、運転者の呼気からアルコールが検出された場合は、エンジンキーを操作してもエンジンが作動しないようにして、飲酒運転ができないようにしている。
【特許文献１】特開２００５−４５８８号公報
【特許文献２】特開２００５−２２４５５９号公報
【考案の開示】
【考案が解決しようとする課題】
【０００３】
しかしながら、上記飲酒運転防止装置では、個々の車に、呼気アルコールセンサを、運転者の呼気を検知できる場所に設置する必要があって、運転の邪魔にならない場所で、目障りにもならない場所に設置するのが困難である上、エンジン始動回路中に飲酒運転防止装置の制御回路を組み込む必要があって、個々の車に取り付けるにはコストがかかり、作業に手間もかかるという問題点があった。
【０００４】
本考案は、そのような現状に鑑み、車には何らの設備及び作業を施すことなく、飲酒運転を抑止することを目的とするものである。
【課題を解決するための手段】
【０００５】
前記課題を解決するため、本願の請求項１にかかる考案は、酒類を提供する飲食店のトイレ内に設置した人検知器と、該人検知器の検知信号に基づいて、検知された人に対して飲酒運転をいましめる音声メッセージを流す音声出力装置とを備えたことを特徴とする。
【０００６】
また、本願の請求項２にかかる考案は、請求項１にかかる考案において、前記人検知器をトイレ入口ドアの内側に設置したことを特徴とする。
【０００７】
また、本願の請求項３にかかる考案は、酒類を提供する飲食店のトイレ入口ドアに設置したドアスイッチと、該ドアスイッチのドア開検知に基づいて、飲酒運転をいましめる音声メッセージを流す音声出力装置とを備えたことを特徴とする。
【０００８】
また、本願の請求項４にかかる考案は、酒類を提供する飲食店のトイレ入口ドアの内側に設置した人検知器と、該トイレ入口ドアに設置したドアスイッチと、前記ドアスイッチが動作した直後に、前記人検知器が人を検知したとき、検知された人に対して飲酒運転をいましめる音声メッセージを流す音声出力装置とを備えたことを特徴とする。
【０００９】
また、本願の請求項５にかかる考案は、酒類を提供する飲食店のトイレ入口ドアの内側に設置した人検知器と、該トイレ入口ドアに設置したドアスイッチと、前記ドアスイッチが動作する前に、前記人検知器が人を検知したとき、検知された人に対して飲酒運転をいましめる音声メッセージを流す音声出力装置とを備えたことを特徴とする。
【００１０】
また、本願の請求項６にかかる考案は、請求項１〜５にかかる考案において、前記音声出力装置は、検知された人に対して飲酒運転をいましめる音声メッセージとともに運転代行サービス業者の宣伝メッセージを流すことを特徴とする。
【考案の効果】
【００１１】
本考案の飲酒運転警告装置は、次のような効果を奏する。
すなわち、請求項１にかかる飲酒運転警告装置の考案においては、酒類を提供する飲食店のトイレ内に人検知器を設置し、該人検知器の検知信号に基づいて、検知された人に対して飲酒運転をいましめる音声メッセージを流すようにしたので、個々の車には何らの設備及び作業を施すことなく、飲酒運転を抑止することができる。
【００１２】
また、請求項２にかかる考案においては、請求項１にかかるにおいて、前記人検知器をトイレ入口ドアの内側に設置したので、客のトイレ入室を確実に検知して飲酒運転をいましめる音声メッセージを流すことができる。
【００１３】
また、請求項３にかかる飲酒運転警告装置の考案においては、酒類を提供する飲食店のトイレ入口ドアにドアスイッチを設け、該ドアスイッチのドア開検知に基づいて、飲酒運転をいましめる音声メッセージを流すようにしたので、ドアスイッチにより客のトイレ入室を確実に検知して飲酒運転をいましめる音声メッセージを流し、飲酒運転を抑止することができる。
【００１４】
また、請求項４にかかる飲酒運転警告装置の考案においては、ドアスイッチが動作する前に、前記人検知器が人を検知したとき、検知された人に対して飲酒運転をいましめる音声メッセージを流すようにしたので、客がトイレに入って来たときだけ飲酒運転をいましめる音声メッセージを流すことができる。
【００１５】
また、請求項５にかかる飲酒運転警告装置の考案においては、ドアスイッチが動作する前に、前記人検知器が人を検知したとき、検知された人に対して飲酒運転をいましめる音声メッセージを流すようにしたので、客がトイレから出て行くときだけ飲酒運転をいましめる音声メッセージを流すことができる。
【００１６】
また、請求項６にかかる考案においては、請求項１〜５にかかる飲酒運転警告装置において、検知された人に対して飲酒運転をいましめる音声メッセージとともに運転代行サービス業者の宣伝メッセージを流すようにしたので、飲酒運転を抑止するだけでなく、広告料収入を得ることもできる。
【考案を実施するための最良の形態】
【００１７】
以下、本考案の実施例を図面に基づいて詳細に説明する。
【実施例】
【００１８】
図１は、本考案の一実施例に係る飲酒運転警告装置を設置した状態を示す図である。図１において、１は人検知器、２はドアスイッチ、３は警告装置本体、４はトイレドアである。
【００１９】
本考案の飲酒運転警告装置は、人検知器１，ドアスイッチ２のいずれか一方、又は両方と警告装置本体３とにより構成され、酒類を提供する飲食店のトイレ内に設置される。人検知器１は、例えば赤外線方式のもので、トイレドア４の上の壁等に下向きに設置される。ドアスイッチ２は、トイレドア４の開閉に応じてオンオフするもので、そのオンオフによりトイレに人が出入りしたことを検知する。
【００２０】
警告装置本体３は、図２のブロック図に概略構成を示すように、制御回路５，メモリ６，音声合成ＬＳＩ７，増幅回路８及びスピーカ９を備えており、制御回路５は、人検知器１，ドアスイッチ２からの信号を受けて、装置の制御を行う。メモリ６は、フラッシュメモリのような不揮発メモリで、内部に、飲酒運転をいましめる音声メッセージの音声データを格納している。音声合成ＬＳＩ７は、メモリ６の音声データを音声信号に変換する。増幅回路８は、音声合成ＬＳＩ７から出力された音声信号を増幅してスピーカ９に与え、スピーカ９から音声メッセージを出力する。
【００２１】
人検知器１とドアスイッチ２は、いずれか一方だけ用いてもよいし、両方を用いてもよい。まず、本考案を、人検知器１と警告装置本体３で実施する場合を説明する。飲食店で客が飲食している途中でトイレに立ち、トイレドア４を開けてトイレに入ったとき、人検知器１によりその人の入室が検知される。その時、制御回路５は、人検知器１の検知出力を受けて音声合成ＬＳＩ７に、予めメモリ６に格納しておいた、飲酒運転をいましめる音声メッセージの音声信号を出力させる。
【００２２】
飲酒運転をいましめる音声メッセージとしては、飲酒運転をしてはいけないことを心に訴えるような音声メッセージ、例えば、「今日もおいしいお酒を飲んでいますか？  でも、お酒の後は車の運転をしないでくださいね。あなたの大切な人の心からの願いです。」のようなメッセージを用意する。また、そのようなメッセージに加えて、飲酒運転をせずにすむように、運転代行サービス業者の宣伝メッセージを流して、運転代行サービスの利用を促すようにしてもよい。
【００２３】
また、人検知器１の代わりにドアスイッチ２を使い、ドアスイッチ２と警告装置本体３で本考案を実施することもできる。すなわち、トイレドア４が開けられてドアスイッチ２が切り替わったとき、客の入室があったものと判断して、警告装置本体３から飲酒運転をいましめる音声メッセージを流す。このようにしても同様な効果がえられる。
【００２４】
ただ、人検知器１を用いた場合も、ドアスイッチ２を用いた場合も、客がトイレに入って来たときと出て行くときの両方とも警告装置本体３が動作して、その都度、音声メッセージを流すことになる。そのように何度も流されると、うるさく、あるいは、うっとうしく感じる人もいないとは限らない。そこで、人検知器１とドアスイッチ２の両方を使って、客がトイレに入って来たとき、あるいは出て行くときの一方だけ音声メッセージを流すようにすることも考えられる。
【００２５】
例えば、客がトイレに入って来たときだけ音声メッセージを流すには、ドアスイッチ２が動作した直後に、人検知器１が人を検知したとき警告装置本体３で音声メッセージを流すようにすればよい。また、客がトイレから出て行くときだけ音声メッセージを流すには、ドアスイッチ２が動作する前に、人検知器１が人を検知したとき警告装置本体３で音声メッセージを流すようにすればよい。
【００２６】
以上のような飲酒運転警告装置を設置すれば、その飲食店で酒類を飲んだ客に対して、飲酒運転はやめようという気を起こさせることができる。さらにそれだけでなく、酒類を提供する飲食店にとって、飲酒運転を撲滅しようとしている姿勢を世間にアピールすることができて、店のイメージアップを図ることができる。さらに、飲酒運転をいましめる音声メッセージに加えて、運転代行サービス業者の宣伝メッセージを流すようにすれば、その広告料収入も期待できる。
【図面の簡単な説明】
【００２７】
【図１】本考案の一実施例に係る飲酒運転警告装置を設置した状態を示す図である。
【図２】本考案の一実施例に係る飲酒運転警告装置の概略構成を示すブロック図である。
【符号の説明】
【００２８】
１…人検知器
２…ドアスイッチ
３…警告装置本体
４…トイレドア
５…制御回路
６…音声合成ＬＳＩ
７…メモリ
８…増幅回路
９…スピーカ
【図１】
0003131821.tif 000003
【図２】
0003131821.tif 000004